(57)【要約】【目的】  用紙の処理装置における破砕処理の停止スイッチを作業者の動作に合わせて安全確実に作動できるようにし、かつ長期に渡りスイッチが動作できる用紙の処理装置を提供することである。【構成】  トップカバー１には用紙の投入口２と略平行かつ作業者に近い位置に停止スイッチ７ａを設ける。停止スイッチ７ａの裏面にはアクチュエータ１６が設けられており、ブリッジ１７に設けられた面スイッチ１０を作動可能に設けられている。停止スイッチ７ａは外力Ｆによって押し戻り可能に設けられており、斜め方向から動作するように設けられている。こうすることで、用紙の処理中に万が一作業者のネクタイやスカーフ、ネックレスやネックベルト付き携帯電話などが引き込まれた際に、作業者はコントロールパネル上の停止ボタンを押さずとも身体の腹部や胸部で用紙の引き込みが停止できる上、停止スイッチ７ａが強い力で押されても破損せず安定して作動する。【選択図】  図４
2007007624.tif 000002
【特許請求の範囲】
【請求項１】
用紙を乗せるための用紙台と、
前記用紙台から用紙を投入する投入口と、
前記投入された用紙を破砕するための破砕部と、
前記破砕部の動作を停止させるための停止スイッチが設けられている用紙の処理装置において、
前記停止スイッチは前記投入口と略平行に設けられており、
かつ前記停止スイッチの電気的接点は面接触であることを特徴とする用紙の処理装置。
【請求項２】
前記停止スイッチは、
斜め方向から動作するよう設けられていることを特徴とする請求項１記載の用紙の処理装置。
【請求項３】
前記停止スイッチには、
前記用紙台の一部を押し戻り可能な可逆性軟質部材で構成されていることを特徴とする請求項１記載の用紙の処理装置。
【請求項４】
前記用紙台の一部には用紙台を撓ませるためのスリットが設けられており、
前記スリット近傍を押すことで前記停止スイッチが動作することを特徴とする請求項１記載の用紙の処理装置。
【発明の詳細な説明】
【技術分野】
【０００１】
本発明は、用紙を破砕し破砕されたチップを回収箱に収納する用紙の処理装置であって、装置の安全機構に関するものである。
【背景技術】
【０００２】
近年、オフィスや家庭の中では複写機やプリンタの発達に伴い、文字情報や画像情報などは容易にドキュメント化されるようになった。それらは１枚または数枚をクリップで束ねたり、枚数が多くなるとグループ毎に分類してファイル等に綴じて扱われまたは保管されている。これらのドキュメントの中には不特定多数の人間が自由に見られるものの他、関係者以外の者に見られては不都合な文書、いわゆる機密文書も多く扱われている。
【０００３】
昨今ではパーソナルコンピュータ（ＰＣ）の普及に伴い、それまで紙で保管されていた機密情報は電子文書として保管されるようになってきた。機密情報は例えば電子メールなどの電子媒体を使って授受され、一度もドキュメント化されずにＰＣ内にあるハードディスクなどの電子記録媒体に記録され保管されつつある。このような技術と管理方法の進歩で、それまで保管されていたドキュメントによる機密文書は陳腐化し、処分の需要が大きく高まってきた。
【０００４】
機密文書の処分方法としてはシュレッダで処理することが知られている。シュレッダ処理された文書は細かく破砕され、その破砕チップの形状はヌードル状、短い長方形、ひし形、小縒り、不定形の小片など様々であり、いずれも文章の繋がりが他人に容易に判別できない程度に破砕されて排出される。
【発明の開示】
【発明が解決しようとする課題】
【０００５】
このようなシュレッダは従業員が複数名勤務し、多くのドキュメントを保有するオフィスで好まれて使われている。シュレッドされる用紙は一度に数枚だけを処理するよりも、まとまった量を一度に作業することが多く見られる。その場合は機器の上部に用紙をまとめて置き、手で掴みやすい適量を投入口に入れていくことで順次破砕処理が行われる。
【０００６】
しかしながら、処理する用紙の枚数が多くなるにつれて作業者にとって単調な作業となり、やがて注意力が散漫となってしまうことがある。とりわけオフィス内の作業者は男性の場合はネクタイを、女性はスカーフなど、首から腹部に掛けて垂れ下がる衣類を身につけることが多い。そのため、単調な作業の合間に不意に用紙と用紙の間にネクタイ等が挟まってしまい、そのまま投入口に入ってしまうことが考えられる。
【０００７】
誤って投入口に入ってしまったネクタイ等は、破砕の回転刃の回転運動によって用紙と同じように引き込まれ細断されることになるが、万が一細断されずに回転刃に巻き付いてしまうと頭部が機器に引きつけられてしまい、不本意な結果に繋がりかねない。
【０００８】
このような事態が起こった時、作業者は機器を停止しようと停止ボタンを探そうとするが、操作パネルに複数個あるボタン群の中から停止ボタンを探すことは極めて困難と考えられる。特に停止ボタンが小さかったり、目立たない構造である場合は手当たり次第にボタンを押すことになる、いわゆるパニック状態に陥ってしまい、それでも機器が停止しない時には機器からネクタイ等を離そうと満身の力を込めて引き抜こうとする。その結果、急に引き込みから解き放たれた場合はバランスを崩し壁や机に身体をぶつけてしまうことが考えられる。
【０００９】
ここで従来の技術として特許文献１記載の用紙の処理装置がある。これはシュレッダの回転刃の停止スイッチであって、細断部の天板とほぼ同一面上に設けられており、スイッチ板の降下により回転刃を停止させるためのマイクロスイッチを設けた技術が公開されている。このような比較的大きなスイッチが設けられている場合は作業者が上方から手を使い機器を停止させやすい反面、天板に用紙を多く乗せた時にはその重みで停止スイッチが動作しやすいという問題があげられる。また、用紙の投入口は天板の比較的中央に設けられていて用紙を垂直に投入することを想定した構造であるため、万が一ネクタイ等が挟まっても比較的気づきやすい構造となっている。そして動作スイッチに用いられるマイクロスイッチは、接点が点であるために小さな力でも動作しやすい反面、シュレッダのように緊急的に機器を停止させる時に強い力でボタンを押す場合には、スイッチ自体を破損させてしまったり、破損した停止スイッチのことを知らずに次の作業者が使いその時に停止しないと思わぬ事故に繋がることが考えられる。
【００１０】
【特許文献１】特開平９−７０５５３号公報
【００１１】
本発明は以上の問題を鑑み、用紙の処理装置における破砕処理の停止スイッチを作業者の動作に合わせて安全確実に作動できるようにし、かつ長期に渡り停止スイッチが動作できるようにした用紙の処理装置を提供することである。
【課題を解決するための手段】
【００１２】
斯かる目的を達成するための本発明が提供する用紙の処理装置は、
用紙を乗せるための用紙台と、前記用紙台から用紙を投入する投入口と、前記投入された用紙を破砕するための破砕部と、前記破砕部の動作を停止させるための停止スイッチが設けられている用紙の処理装置において、
前記停止スイッチは前記投入口と略平行に設けられており、かつ前記停止スイッチの電気的接点は面接触であることを特徴とする用紙の処理装置であり、
前記停止スイッチは、斜め方向から動作するよう設けられていることを特徴とする請求項１記載の用紙の処理装置であり、
前記停止スイッチには前記用紙台の一部を押し戻り可能な可逆性軟質部材で構成されていることを特徴とする請求項１記載の用紙の処理装置であり、
前記用紙台の一部には用紙台を撓ませるためのスリットが設けられており、前記スリット近傍を押すことで前記停止スイッチが動作することを特徴とする請求項１記載の用紙の処理装置である。
【発明の効果】
【００１３】
本発明の請求項１記載の発明では、ネクタイ等の衣類が投入口に巻き込まれた際に両手を着く位置に停止スイッチを設けたので、作業者は停止スイッチを探さなくとも用紙の引き込み処理を停止させることができる。
また、停止スイッチには電気的接点が広い面接触のスイッチを設けたので、接点の炭化が起こりにくく長期間確実に動作するようになる。
そして、面接触の電気的接点を押すように設けることでバネ等の弾性部材にありがちなスイッチの作動遅れを防止しながら、作業者の身体を傾けた際の加重を広い面積で受け止められることができ、停止スイッチの破損を防止することができる。
【００１４】
本発明の請求項２記載の発明では、停止スイッチの動作方向を斜め方向から動作するように設けたので、用紙台にまとまった用紙を置いて処理することができる。また、万が一ネクタイ等の衣類が引き込まれコントロールパネル上の非常停止ボタンが押せない時にも、反射的にシュレッダから身体を引き離そうとする力で停止スイッチを押すことができる。そして手によってスイッチを押せなくとも身体の一部、例えば胸部や腹部が停止スイッチを押すことになるため確実に停止させることができる。
【００１５】
本発明の請求項３記載の発明では、用紙台の一部を押し込み可能な可逆性軟質部材にしそこに停止スイッチが動作するように設けたので、用紙台から用紙を投入口に送る際に引っかかることがなくスムーズに作業できるようになる。そして埃や紙粉などが隙間から入ることやスイッチの電極接点に異物が混入することもなく長期に渡り安定した動作が実現できるようになる。
【００１６】
本発明の請求項４記載の発明では、スリットを設けることで比較的力の弱い作業者でも停止スイッチの動作を容易にしながらも複雑なスイッチ機構を設けること無く、安価な構成かつ確実に引き込みを停止させることが可能となる。
【発明を実施するための最良の形態】
【００１７】
以下、本発明を実施例に基づいて詳細に説明する。
【実施例】
【００１８】
図１は本発明による用紙の処理装置の構成を示す斜視図であり、図２は本発明による用紙の処理装置を示す正面図である。図３は図２のＡ−Ａ’の断面図である。以下、これらの図に基づき説明をする。
【００１９】
まず、シュレッダ全体の構成を説明する。シュレッダ装置本体の上部にはトップカバー１が設けられ、用紙を投入するための投入口２が設けられている。またトップカバー１には機器を操作するためのコントロールパネル３が設けられている。投入口２の手前には、用紙を乗せられる用紙台４が設けられている。用紙台４の手前で作業者との間には用紙の引き込みを停止させるための停止スイッチ７ａが設けられている。シュレッダ本体は外装体１２ａ，１２ｂ，１２ｃ，１２ｄによって紙粉や紙片を飛散させないようにその周囲を囲まれており、作業者は機器内部に触れられないようになっている。本体の正面部には外装体１２ａとその下方部にドア１３が設けられており、ドア１３は取手１４を引くことで開閉可能に設けられている。ドア１３を開けることで回収箱１１を取り出せるようにしている。なおドア１３は本体側に設けられた図示しないマグネットにより閉じた状態を保持するように構成されている。そして外装体１２ａの下方には破砕部８から排出される破砕チップ１０と回収箱１１の破砕チップ１０の状態が見えるように開口部１５が設けられている。
【００２０】
次にシュレッダの動作について説明する。投入口２から投入された用紙は自由落下と本体内部に設けられた用紙ガイド５ａ，５ｂによって下方に導かれ、回転刃６ａと回転刃６ｂの噛込部８に到達する。回転刃６ａと回転刃６ｂは図示しない駆動モータにより互いに内側に向かって回転しており、回転刃６ａと回転刃６ｂは回転軸方向に２０枚の回転刃が配置されていて交互に交差するよう設けられている。用紙が噛込部８に到達するとその回転運動で順次細断され破砕チップとなり、回転刃６ａと回転刃６ｂの下方に落下していく。噛込部８から破砕チップとなった用紙は保護フィルタ９を通過する。保護フィルタ９は一定回転刃６ａ，回転刃６ｂに誤って指などが入り込まないよう一定間隔を置きながら複数本配置されている。保護フィルタ９を通過した破砕チップ１０は回収箱１１に入り、徐々に堆積を始めていく。
【００２１】
次に本発明の停止スイッチの構成並びに動作を詳細に説明する。図４，図５に示すのは本発明による停止スイッチ７ａの断面構成図である。
前述したように、トップカバー１には用紙を投入するための投入口２がトップカバー１の中央に対し奥側に設けられている。投入口２の位置は作業者の位置がトップカバー１の手前と考えると、概ねＪＩＳ規格Ａ列４版の用紙縦方向分奥側に設けられている。作業者に近い端部側のトップカバー１には停止スイッチ７ａが設けられている。停止スイッチ７ａは投入口２に対してほぼ同じ幅で略平行に設けられている。停止スイッチ７ａは３辺にスリット７ｃを設けて押し込めるように設けられており、用紙台４と繋がっている接続部７ｂは押し込みやすいように切欠き部７ｂが設けられている。トップカバー１に設けられた停止スイッチ７ａの内側には面スイッチ１０が停止スイッチ７ａと略平行に設けられている。面スイッチ１０は装置のフレーム部とをブリッジ１７によって固定されており、面スイッチ１０が押された時に歪むことなく動作を受け止めるよう設けられている。面スイッチ１０の電極にはＤＣ５Ｖが印加されており、互いが接触すると電圧が０Ｖとなって図示しない中央演算装置に電位の変化を知らせて停止スイッチが押されたことが伝達され、用紙の引き込み処理を停止する。
【００２２】
面スイッチ１０としてはテープスイッチ社製のテープスイッチを、電気的接点を幅３００ｍｍ保有する形で用いられている。このテープスイッチ動作部の周囲は軟質の樹脂で覆われているため、湿気や紙粉等の異物が極めて入りにくい構造となっている。
【００２３】
トップカバー１の内面と面スイッチ１０の間には面スイッチ１０を動作させるためのアクチュエータ１６が設けられている。このアクチュエータ１６の形状としては、面スイッチ全体を均一に押圧するための幅方向に長く凸状とする他、複数のブロック形状を並べて配置して動作するように設けられている。アクチュエータ１６の先端部は引っかかり等の誤作動を防止するために、球状もしくは広面積としている。
【００２４】
トップカバー１とアクチュエータ１６と面スイッチ１０はそれぞれ約４５°の角度が設けられておりブリッジ１７に固定されている。このように取り付け角度を設けたのは、回転刃が用紙を引き込む方向Ｆで、手や胸部、腹部によって自然に停止スイッチが押されるためである。
【００２５】
図６，図７は停止スイッチ７ａとアクチュエータ１６の構成図である。アクチュエータ１６は停止スイッチの裏面側に設けられており、面スイッチ１０のいずれの場所でも押せるようになっている。このようにアクチュエータ１６と面スイッチ１０が面接触で押されるように設けることで、強い力で押された時の局所的な加重を分散させることができ、特に本装置のように作業者が慌ててスイッチを押す時にその力を充分に受け止められ、かつスイッチ自体が破損しにくい構造としている。
【００２６】
この他、アクチュエータ１６の他の実施例としては、図８，図９に示すようにブロック状のものを複数個配置することが考えられる。これは作業者が比較的弱い力の場合、スイッチの接点に力を与えやすい点で優れている。ブロック状のものを用いる場合にはその合計面積が、停止スイッチの概ね半分以上を覆うように構成するようにすることが望ましい。数が少ないと数点に極度な圧力がかかり面スイッチを破損する恐れがある。
【００２７】
図１０に示したのは用紙台４の一部に押し戻り自在な軟質部材で停止スイッチを構成したものである。図４と図５に示した停止スイッチ７ａのように、三辺を開放し残す一辺を連結させて構成すると、停止スイッチの構成として優れている反面、用紙の破砕時に出た紙粉や紙片、さらには用紙台４に乗せた用紙が不意に隙間に入り込んでしまい、無理矢理抜き出した際に用紙の破片が残ってしまい、停止処理が不確実になることが考えられる。
【００２８】
そこで、図１０に示すように用紙台４を押し戻し可能に段差部７ｄから停止スイッチ７ａに渡って厚みを薄く設けることで、停止スイッチとして作動するようにしたものである。このように構成することで、紙片や紙粉が停止スイッチに入り込むことが無くなり、安定した処理が可能となる。この場合の停止スイッチの材質としては、プラスチック樹脂のＡＢＳ（アクリロニトリルブタジエンスチレン）が用いられる。また、スリットを設けてスイッチを構成した場合には、スリットの上に軟質のビニール部材を密着させることで同様の構成とすることができる。
【００２９】
以上、実施例を元に本発明を詳細に説明したが、停止スイッチ７ａの形状としては横一体の繋がったものの他、これを２分割や３分割して面スイッチを押すようにしても同様な作用効果が得られる。また、停止スイッチ７ａとアクチュエータ１６と面スイッチ１０の取り付け角度は本発明の場合４５°としたが、作業者の体格が様々であることから４５°±２５°程の範囲に設けると良い。
【図面の簡単な説明】
【００３０】
【図１】本発明による用紙の処理装置の構成を示す斜視図。
【図２】本発明による用紙の処理装置の正面図。
【図３】本発明による用紙の処理装置の図２におけるＡ−Ａ’断面図。
【図４】本発明による停止スイッチの断面構成図。
【図５】本発明による停止スイッチの他の実施例を示す断面構成図。
【図６】本発明による面スイッチとアクチュエータの構成を示す構成図。
【図７】本発明によるアクチュエータの構成図。
【図８】本発明による面スイッチとアクチュエータの他の実施例を示す構成図。
【図９】本発明によるアクチュエータの他の実施例を示す構成図。
【図１０】本発明による停止スイッチの他の実施例を示す断面構成図。
【符号の説明】
【００３１】
１・・・トップカバー
２・・・投入口
３・・・コントロールパネル
４・・・用紙台
５ａ，５ｂ・・・用紙ガイド
６ａ，６ｂ・・・回転刃
７ａ・・・停止スイッチ
８・・・噛込部
９・・・フィルタ
１０・・・面スイッチ
１１・・・回収箱
１２ａ，１２ｂ，１２ｃ，１２ｄ・・・外装体
１３・・・ドア
１４・・・取手
１５・・・開口部
１６・・・アクチュエータ
１７・・・ブリッジ
【図１】
2007007624.tif 000003
【図２】
2007007624.tif 000004
【図３】
2007007624.tif 000005
【図４】
2007007624.tif 000006
【図５】
2007007624.tif 000007
【図６】
2007007624.tif 000008
【図７】
2007007624.tif 000009
【図８】
2007007624.tif 000010
【図９】
2007007624.tif 000011
【図１０】
2007007624.tif 000012